(57)【要約】【課題】織物が型どおりに織れ、ほつれ難く、経糸を掛けるスティックの取り付け取り外しが楽でスティックが倒れ難く誰でもどこでも簡単に織れる型織り機を提供する。【解決手段】セル集合体からなり形状を保ちやすい材質で出来たハニカム構造体、又は段ボール等の断面のセル集合体を利用して織り台を作り、そのセル集合体に求める型にスティクを差しこみ、スティックの取り付け取り外しが簡単にできる構造にした。スティックが倒れないように形状を保持する材質のハニカム構造体、段ボールを用いて適宜厚さの織り台を形成し、それらのセルの大きさに合い、他面より出た部分が糸を掛けるのに適当な寸法のスティックを任意の位置に差しこんで織り台の他面に突出したスティックの先端部に経糸をひっかけ、横糸を織り込んで型通り織れる構造にした。織りあがった布は、周りが輪状でほつれ難い。織りの操作が簡単で織り台が軽く小型にもでき、誰でも何処でも織れる型織り機となった。【選択図】      図１
2004225233.tif 000002
【特許請求の範囲】
【請求項１】
積層形成された六角筒状のセル集合体からなり、紙、プラスチック、アルミ箔、等の形状を保ちやすい材質で出来たハニカム構造体、又は積層形成された三角のセル集合体からなる段ボール、等の断面のセルを利用し、作りたい形の任意の所にスティックを差しこみ、求める型どおりに織れる型織り機において、上記のハニカム構造体、又は段ボールを、スティックが倒れないよう適宜厚さに切断し、各々の切断面のセルを上向きに接着して織り台を形成し、その織り台のセルに合うスティックを、他面より出た部分が糸を掛けるのに適当な寸法である長さに必要数切り揃え、求める形の任意の位置に差しこんで、台の他面に突出したスティックの先端部に経糸を引っ掛け、横糸を織り込んで型通り織り上げ尚且つ、そのスティックを取り外した後も何度も利用できる型織り機。
【請求項２】
スティックの上部にスティックの大きさにあったビニールホース等を適宜長さに切ってスティックに被せ、経糸のはずれ防止用キャップを用いた請求項１記載の型織り機。
【請求項３】
経糸を自在に替えられる請求項１記載の型織り機。
【請求項４】
織物の中に模様を入れ込む事ができる請求項１記載の型織り機。
【発明の詳細な説明】
【０００１】
【発明の属する技術分野】
本発明は織物を型通りに織り、ほつれず、経糸を自在に替えられ尚且つ、模様を織り込むことができる型織り機に関する。
【０００２】
【従来の技術】
従来、機織機はあったが、非常に場所を取り、機に糸をセットするための余分な糸が必要であった。服にするためには織り上げた布を型紙どおりにカットしなければならなかった。カットした布を縫って着用すると、ほつれてきて修復が困難であった。模様の位置をきめながら織ることはできなかったし、途中で経糸を替えることは困難であった。型通り織る道具としては、実願昭６０−８９２９０号公報で開示されたものがあった。それは、段ボール、ボール紙を利用してピンを装着するものであったが、ピンの装着に手間が掛かって使用時はピンが倒れやすく、ピンを取り外して再利用しにくかった。
【０００３】
【発明が解決しようとする課題】
従来の織り機は１回ごとにピンを打ち直さなければならなかったし、そのピンは倒れ易かった。それらの欠点を解決するために、ピンを打たずに取り付け取り外しが簡単にでき、尚且つピンが倒れにくい織り台を作成しなければならないという問題点があった。
【０００４】
【課題を解決するための手段】
上記の問題点を解決するために、ピンを打たずに取り付け取り外しが簡単にできるよう、ハニカム構造体、段ボールの断面のセル集合体を利用し、そのセルに求める形の任意の所にスティクを差しこみ、取り付け、取り外しが簡単にできる構造の織り機を形成した。スティックが倒れないように形状を保ちやすい材質のハニカム構造体、段ボールで適宜厚さの織り台を形成し、それらのセルの大きさに合い、他面より出た部分が、糸を掛けるのに適当な寸法のスティックを必要数揃え、尚且つ、糸がスティックから外れにくいようにキャップを被せ、求める型の任意の位置にスティックを差しこんで、織り台の他面に突出したスティックの先端部に経糸をひっかけ、横糸を織り込んで型通り織れる構造にした。
【０００５】
【発明の実施の形態】
本発明の実態を図を基にして説明し、解決しようとする課題をどのようにして解決したかを記述する。
実施例−１
図−５で示すようにスティック（２）が倒れないような厚さに切断された積層形成された六角筒状のセル集合体からなるポリプロピレン製のハニカム構造体、又は強化段ボール（７）を、各々の切断面のセル部が上向きになるように並べ接着して板状のセル集合体の織り台（１）を形成する。その織り台（１）の断面に並んでいるセル（８）の大きさに合うスティック（２）を適宜長さに切ったものを必要本数用意する。図−１で示すように断面に自分が作成したい形の任意の位置にスティック（２）を差し込み、その織り台の他面に突出したスティック（２）の先端部に経糸（４）をひっかけ、横糸（５）を針又はシャトル（６）を用いて織り込んで型通り織ることを特徴とした型織り機。
実施例−２
図−３で示すように、経糸（４）を替えたいときは、その任意の位置のセルにスティック（２）を差しこみ、そこで経糸（４）を交差させて図案を作ることを特徴とした型織り機。
【０００６】
【発明の効果】
本発明は、以上説明したように構成されているので、以下に記載されるような効果を奏する。
【０００７】
積層形成された六角筒状のセル集合体からなり、紙、プラスチック、アルミ箔、等の形状を保ちやすい材質で出来たハニカム構造体、積層形成された三角のセル集合体からなる段ボールの断面のセルを利用し、そのセルに求める形の任意の所にスティクを差しこみ、取り付け、取り外しが簡単にできる構造にした。
【０００８】
積層形成された六角筒状のセル集合体からなり、紙、プラスチック、アルミ箔、等の形状を保ちやすい材質で出来たハニカム構造体、段ボール、等で適宜厚さの織り台を形成することにより、スティックが倒れにくくなった。
【０００９】
スティックの取り付け取り外しが簡単にできるので、織っていく途中で邪魔になったスティックを取り外せ、自由な形の服やコサージ、絵画風織物、等の型織りができる。
【００１０】
織りあがった布は、布の端が輪状になっているので摩擦や洗濯しても、ほつれない。
【００１１】
結び目をつけずに経糸をどの位置でも替えられ模様を織り込むことが出来、模様織りや絵画風な布を織ることができる。
【００１２】
軽く小型にすることも出来持ち運びが楽であり尚且つ、操作が簡単にできるので、誰でも何処でも気軽に織物ができる。
【００１３】
糸は必要最低限で織りあがり経済的である。
【００１４】
デザインを考えながら織れる。
【図面の簡単な説明】
【図１】型織り機の斜視図である。
【図２】型織り機にスティックを差しこんだ実施例を示す縦断面図である。
【図３】第４図の要部拡大図である。
【図４】模様を織り込む実施例を示す全体平面図である。
【図５】段ボールを適宜な幅に切断し、接着して型織りの台を作る様態を示す図である。
【符号の説明】
１  ハニカム構造体、又は段ボールの織り台
２  スティック
３  経糸の外れ防止用キャップ
４  経糸
５  横糸
６  針又はシャトル
７  ハニカム構造体、又は段ボールの部分
８  ハニカム構造体、又は段ボールのセル部
【図１】
2004225233.tif 000003
【図２】
2004225233.tif 000004
【図３】
2004225233.tif 000005
【図４】
2004225233.tif 000006
【図５】
2004225233.tif 000007